(57)【特許請求の範囲】
【請求項１】
使用するときに、オートバイ用ヘルメットの保持を改善するためのあごひもであって、前記ヘルメットに直接取り付けられたスリップガイドと、あごカップと、１本の革ひもとを備え、前記革ひもは前記スリップガイドの１つのスロットを通過し、前記革ひもの第１の部分は、別個に前記あごカップから前記スリップガイドまで通り、前記革ひもの第２の部分は、前記スリップガイドから乗り手のあごの下まで通り、それにより、前記ヘルメットのための２つの保持軸を提供するあごひも。
【発明の詳細な説明】
【技術分野】
【０００１】
本発明は、ヘルメットと共に使用するためのあごひもに関する。
【背景技術】
【０００２】
本発明は、ヘルメットと共に使用するための、改善されたあごひもを提供する。本発明は、フルフェイス型とオープンフェイス型の両方のオートバイ用ヘルメットと共に使用することを主に目的とし、その関連で論じられるが、しかしながら、あごひもは、オートバイ用ヘルメット、軍用ヘルメット、作業場用保安帽、および救急隊用ヘルメットなど、他のタイプのヘルメットと共に使用するのに適している。
【０００３】
従来技術のヘルメットは、通常は単一の支持軸を提供する、あごの下を通る単一のひもにより保持される。そのようなひもは、静的で衝撃の少ない状況では適切に作動するが、しかしながら、ヘルメットは、高速走行するオートバイの事故の間など、単一のひも軸から離れて強い力を受けるとき、多くの場合外れて、多くの場合重大な結果を伴う可能性がある。
【０００４】
従来型ヘルメットの保持を改善するのに役立つように、多くの場合、薄いほお−あごパッドが使用される。しかしながら、そのような保持方法は、ヘルメットをかぶりにくくし、さらにまた外しにくくする。このことは、救急隊職員にとってヘルメットを取外しにくくするので、事故後に特に問題になる。
【発明の概要】
【発明が解決しようとする課題】
【０００５】
本発明の目的は、保持が改善されたヘルメットのあごひもを提供して、上記の問題を軽減する、または有用な代替手段を一般の人々に少なくとも提供することである。
【課題を解決するための手段】
【０００６】
本発明は、ヘルメットに取り付けられたスリップガイドと、あごカップと、ある長さの革ひもとを備える、ヘルメット保持を改善するためのあごひもを提供し、革ひもの第１の部分は、あごカップからスリップガイドまで通り、革ひもの第２の部分は、スリップガイドから乗り手のあごの下まで通る。
【０００７】
好ましくは、革ひもの第１の部分は、革ひもの第２の部分に対してほぼ５５°の角度で配置される。
【０００８】
好ましくは、あごカップは、側面から側面に至る第１の弓状の輪郭、および最上部から底部に至る第２の弓状の輪郭を伴って形成され、あごカップが乗り手のあごに適合することができるようにする緩和開口を含む。
【０００９】
好ましくは、スリップガイドは、ヘルメットに強固に取り付けられる。
【００１０】
上述の様態の任意の１つは、上述のその他の様態のいずれかの特徴のいずれかを含み得ること、および必要に応じて、以下で記述する実施形態のいずれかの特徴のいずれかを含み得ることに留意されたい。
【００１１】
本発明の好ましい特徴、実施形態、および変型形態は、当業者が本発明を実施するだけの十分な情報を提供する以下の「発明を実施する形態」から認識し得る。「発明を実施する形態」は、前述の「発明の概要」の範囲を限定していると見なすべきでは決してない。「発明を実施する形態」は、以下のいくつかの図面を参照する。
【図面の簡単な説明】
【００１２】
【図１】本発明のあごひもを示す、ヘルメットの切り欠き図を示す。
【図２Ａ】あごひものスリップガイドを透視図により示す。
【図２Ｂ】あごひものスリップガイドを異なる透視図により示す。
【図３Ａ】あごひものあごカップを透視図により示す。
【図３Ｂ】あごひものあごカップを側面図により示す。
【発明を実施するための形態】
【００１３】
本発明の以下の詳細な記述は、添付図面を参照する。可能なときはいつでも、同じまたは類似する部分を指すために、図面および以下の記述全体を通して同じ参照番号を使用する。図面に示すある種の部分の寸法は、明確にする、または例示するために修正されている、および／または誇張されている場合があり得る。
【００１４】
本発明は、２つの支持軸を伴う改善されたあごひもを提供する。ひもの第１の部分は、従来型あごひものようにあごの下を通り、第２の部分は、あごの先端でカップを保持する。ひもの２つの部分は、互いに対してほぼ５５°の角度で配置され、したがって、２つの支持軸を提供し、その結果として、衝撃を受けたときに乗り手の頭部でのヘルメット保持が改善される。
【００１５】
本発明のあごひもを組み込むヘルメット１０の切り欠き図を図１に示す。ヘルメットおよび本発明は、中央部を下方に切断されており、ヘルメットの裏張りはまた、取り除かれている。本発明は、３つの主要な構成要素を、すなわち；スリップガイド２０、あごカップ３０、およびひも４０を備える。図２Ａおよび図２Ｂには、スリップガイドを正面図および背面透視図で詳細に示す。図３Ａおよび図３Ｂには、あごカップを透視図および側面図で示す。
【００１６】
スリップガイド２０は、装着ボルト２２を介してヘルメット１０にあごひもを固定する。装着ボルトは、ヘルメットが衝撃力を受けたとき、スリップガイドの望ましくない枢動する動きを防止するために、スリップガイドの対応する正方形区域の中に合う正方形区域を含む。スリップガイドは、ひも４０を誘導するためのひもスロット２４、およびひもスロットとヘルメットの側面の間に隙間を提供するための段状部分２６を含む。スリップガイドは、好ましくはＡＢＳなどの半剛性プラスチックから成形されるが、それに限定されない。
【００１７】
あごカップ３０は、乗り手のあごの先端を快適に保護するように支えるように設計される。あごカップの全体形状は、最上部から底部まで、側面から側面まで、弓状である。この形状は、緩和開口と共に、あごカップが大部分のあごの形状に適合することができるようにし、上部３６は、あごの前方に置かれ、下部３８は、あごの下方に置かれる。あごカップは、好ましくは適切に可撓性のある強いＡＢＳプラスチックから成形され、むきだしのあごの上で快適な吸湿詰め物の薄い層で覆われる。あごカップは、ひもスロット３４を介して上側のひも部分４２に取り付けられる。
【００１８】
ひも４０は、２つの革ひも部分を備え（その一方だけを示す）、各々は、スロット２４を使用してあごカップ３０に第１の端部で取り付けられ、スリップガイドのスロット２４を通過し、次いで、乗り手のあごの下を通る。革ひもの第２の端部は、革ひもの従来型留め金またはＤクリップ（図示せず）と共に取り付けられ、留め金およびＤクリップは、両方とも乗り手により固定される。革ひもは、あごカップに取り付けられ、スリップガイドを通過する部分については幅がほぼ４８ｍｍであり、次いで、乗り手のあごの下を通るためにほぼ１５ｍｍの幅まで遷移する。広い部分は、あごカップ全体にわたり任意の負荷を均一に分散させ、一方では、狭い部分は、乗り手のあごのために快適な広さになっている。スリップガイドは、ヘルメットの従来型あごひものアンカーポイントに隣接して取り付けられ、ひも４０が、あごカップのための上部４２、およびあごの下を通過するための下部４４に効果的に分割されるよう角度付けられる。２つの区域は、互いに対してほぼ５５°の角度で配置され、それにより、ヘルメット保持を改善するための２つの支持軸を提供する。
【００１９】
好ましくは本発明のあごひもを補完するように構成されたヘルメットの内部詰め物は、図示されていない。本発明は、ヘルメット保持を改善するので、ほお詰め物がヘルメットを保持するという２次的役割を低減されるので、ほお詰め物の厚さを低減する余地がある。これにより、ヘルメットをかぶり、外すのがより容易になり、これは、特に事故後に有益である。好ましい詰め物は、ひも４０に適合する内部スリップスリーブを伴う２つの層で形成される。ひもがあごひもおよびスリップガイドに到達するように、摩擦を低減するプラスチック製スリットが、あごひもおよびスリップガイドに隣接して詰め物の中に置かれる。ひもが部分的に詰め物の内部に隠されることは、乗り手にとってより快適であり、ヘルメットをかぶったときにひもがひだになるのを防止し、したがって、ヘルメットをより取り除きやすくする。
【００２０】
読者は今や、ヘルメット保持を改善する２つの支持軸を伴うあごひもを提供する本発明を認識されよう。
【００２１】
さらに、本発明の範囲を逸脱することなく、本発明に更なる利点および改善を加えることは大いにあり得る。最も実用的で好ましい実施形態と思われることという点で本発明を示し、記述してきたが、本明細書で開示する詳細に限定されるのではなく、任意のすべての等価な機器および装置を包含するように、特許請求の範囲の完全な範囲と一致すべき本発明の範囲内で本明細書から装置を作成し得ることが認識される。本明細書全体を通して従来技術のどんな議論も、そのような従来技術が広く公知である、または本分野で共通の一般知識の一部を形成することを認めると決して考えられるべきではない。
【００２２】
本明細書および特許請求の範囲では（もしあれば）、用語「ｃｏｍｐｒｉｓｉｎｇ（備える）」、ならびに「ｃｏｍｐｒｉｓｅｓ」および「ｃｏｍｐｒｉｓｅ」を含むその派生語は、明言した完全体の各々を含むが、１つまたは複数の他の完全体を含むことを排除しない。
【符号の説明】
【００２３】
１０  ヘルメット
２０  スリップガイド
２２  装着ボルト
２４  ひもスロット
２６  段状部分
３０  あごカップ
３２  緩和開口
３４  ひもスロット
３６  上部
３８  下部
４０  ひも
４２  上側のひも部分
４４  下側のひも部分
【図１】
0006945884.tif 000002
【図２Ａ】
0006945884.tif 000003
【図２Ｂ】
0006945884.tif 000004
【図３Ａ】
0006945884.tif 000005
【図３Ｂ】
0006945884.tif 000006